(57)【要約】      （修正有）【課題】場所を選ばず、屋内、屋外で自由に使用出来、コンパクトにして、持ち運びが容易であり、身の大小の調整が出来、台の裏面は、多目的に使用出来る読書台を提供する。【解決手段】読書台に書物を開けて置き、押さえ金にて押える。磁気板に少々のページをマグネットで押さえ、残りのページを台の空間、左右に差入れる。読み終われば、差し込んだページを出して、マグネットで押える。ページをめくる時に、左マグネットをずらし、ページを右マグネットで押える。ページを読み終わるまで、書物に手を触れることはない。台の裏面は多目的に使用する。【選択図】図３
0003126360.tif 000002
【実用新案登録請求の範囲】
【請求項１】
１  仰向き読書台は、太鼓形した読書台である。書物を見る面を表とし、表の面に磁気板を張り付け、台のセンターに書物を開けて置き、ページを押さえ金で押えて、書物の安定を計る。数枚のページを磁気板とマグネットで押えて読書し、めくる時は左右のマグネットを交互に浮かして、適宜に使う。厚い書物に於いては、台のセンター板と磁気板との間、左右に設けた空間に残りページを差し込み、書物の安定を計る。台の高さ、角度、斜面角度、目よりの距離を調整できる。台の裏面を、書簡用机、食卓など多目的に使用出来る。仰向き、ソファー、腰掛等に於いて使用の場合、読者の姿勢が異なるため、脚立の形状は変わります。何れも折り曲げ、組立式にて、収納及び持ち運びを便利にする。
【考案の詳細な説明】
【技術分野】
【０００１】  本考案は、仰向きになって読書する時の読書台である。
【背景技術】
【０００２】  従来は仰向きで読書する場合、両手で書物を支えて読むため、腕が疲れやすく長続きしない。【０００３】  仕様場所を選ばない。
【考案の開示】
【考案が解決しようとする課題】
【０００４】  本考案は、仰向き状態で疲れを少なくするため、書物より手を放して読むことが出来る様にするものである。
【課題を解決するための手段】
【０００５】  本考案は、仰向きに読書する時、マグネットを使用して腕の疲れを防ぎ、ページを捲りやすくするものである。
【考案の効果】
【０００６】  読書台に書物を押さえ金にて固定させる。厚い書物は空間に差込み、ページ枚数を少なくする。左右のマグネットで押えるため、ページ捲りが容易に出来る。
【考案を実施するための最良の形態】
【０００７】  太鼓形の読書台は、表面に磁気板を取付け、台のセンター板に書物の綴ってある所を置き、書物の中程を開けて押さえ金で押さえる。左右の磁気板にマグネットで少々のページを左右押さえる。残りのページは、センター板の空間より差し込んで書物を安定させる。ページを捲る時は、左のマグネット緩めて右のマグネットで止める。読み終われば差し込んでいたページを出してくる。書物の読み初めと中程、終り頃と適宜に使用する。台の高さ、斜面角度、目よりの距離など、自在に調整する。台の裏側は、机、食卓等、多目的に使用でき、脚立は折り曲げてコンパクトに収納できる。
【実施例】
【０００８】  以下、添付図面に従って実施例を説明する。
１．太鼓形読書台がある。２．台の表面に左右磁気板を張る。３．台の裏面板。４．台センター板。５．読書を開けた所を押さえる金。６．押さえ金を掛ける金具。７．押さえ金の先端止め金具。８．ページ押さえマグネット。９．台の軸。１０．折曲り脚立。１１．高さ調整足。１２．ページ差込用空間。１３．書物の状態を現わす。１４．脚立折曲部。１５．台の角度止め穴。
【図面の簡単な説明】
【０００９】
【図１】  全体の斜面図
【図２】  高さ調整用脚立図
【図３】  正面図
【図４】  本体上面図
【図５】  本体側面図
【図６】  読書押さえ金拡大図
【図７】  裏面を書簡台に使用する斜面図
【符号の説明】
【００１０】  １    読書台太鼓枠
２    磁気板
３    読書台裏板
４    読書の綴り部受台
５    読書ページ押さえ金
６    押さえ金具掛け
７    押さえ金具止め金
８    ページ押さえマグネット
９    読書台受け軸
１０  読書台脚立
１１  脚立高さ調整足
１２  読書の残りページ入れる空間
１３  読書使用状態を示す。
１４  脚立折曲部
１５  読書台角度止め穴
【図１】
0003126360.tif 000003
【図２】
0003126360.tif 000004
【図３】
0003126360.tif 000005
【図４】
0003126360.tif 000006
【図５】
0003126360.tif 000007
【図６】
0003126360.tif 000008
【図７】
0003126360.tif 000009
【手続補正書】
【提出日】平成18年7月14日(2006.7.14)
【手続補正１】
【補正対象書類名】実用新案登録請求の範囲
【補正対象項目名】全文
【補正方法】変更
【補正の内容】
【実用新案登録請求の範囲】
【請求項１】
仰向き読書台は、表面に磁気板を左右に張り、読書台のセンターに書物の綴面を乗せる処を設け、その台の上に開いた本のページ面を押さえ金で押さえ、読書台の左右には空間があって、厚い本、表紙の硬い本などは、空間に入れるようにし、読みページ数枚を両端のマグネットで押さえて読み、読み終えたページを捲る時は、左右のマグネットを交互に浮かして捲っていくが、読者のニーズに合うよう、読書台の高低、斜面角度の向きが自在に出来るので、仰向きだけでなく、椅子、ソファ等での読書にも適していて、縦軸を基に読書台を廻せば、読者の出入りが容易であり、しかも組立式にて持ち運び、収納に便利な仰向き読書台である。
【手続補正２】
【補正対象書類名】明細書
【補正対象項目名】全文
【補正方法】変更
【補正の内容】
【考案の詳細な説明】
【技術分野】
【０００１】  本考案は、仰向きになって読書する時、読者のニーズに合わせた角度で使用出来る。
【背景技術】
【０００２】  従来は仰向きで読書する場合、両手で読み物を支えて読むため腕が疲れやすく、長続きしない。【０００３】  組立式のため、コンパクトになり、移動、収納が簡単である。
【考案の開示】
【考案が解決しようとする課題】
【０００４】  本考案は、仰向きで読書する時、疲れを少なくするため、読書より手を放して読むことが出来る様にしたものである。【０００５】  本考案は、仰向きで読書する時、数枚のページの両端を、マグネットで押さえて読み易くする。ページを捲る時は、マグネット鋏を交互に解いて捲る。
【考案の効果】
【０００６】  薄い書物、厚い書物等、使い分けが出来る。書物の安定が容易である。
【考案を実施するための最良の形態】
【０００７】  脚立の縦軸に読書台の腕を入れると、読書台が廻る様になる。読者がソファ、椅子等に腰掛ける時、都合のよい読書台の高低、角度の調整（上向き、下向き、斜面等）読者のニーズに合わすことが簡単に出来る。薄い読書は、開けたページの綴った処を押さえ金で押さえて、読書の固定を計る。読むページを左右のマグネットに挟んで読む。厚い読書や表紙の硬い本などは、読まないページを左右の空間に差し入れる。読むページ数枚を、両端のマグネットで押さえて読む。読み終えたページが多くなれば、押さえ金を押さえ直して、差込んだページを数枚出す。順次、その繰り返しをする。組立式にて個々の部品となり、持ち運び、収納に便利である。
【実施例】
【０００８】  以下、添付図面に従って実施例を説明する。縦軸に読書台の腕を入れ、高低を合わし、読書台の角度を合わす。読書台の押さえ金で書物を押さえて安定させる。厚い書物は、空間に入れる。脚立は組立式にて個々の部品となる。
【図面の簡単な説明】
【０００９】
【図１】  斜面図
【図２】  側面図
【図３】  読書使用図
【図４】  押さえ金のセット金具
【図５】  脚立全体図
【符号の説明】
【００１０】１    読書台
２    磁気板
３    補強用裏板
４    本の綴じ面を乗せるセンター台
５    開けた本のページ面を押さえる金具
６    押さえ金をセットする金具
７    蝶盤金具
８    書物のページ端を押さえるマグネット
９    角度合わせ板と腕
１０  読書台の補強板
１１  脚立縦軸  １１．１１Ａ．１１Ｂ
１２  読書台に設けた空間
１３  読書台に乗った本と空間より出したページ
１４  脚立組立に用するセット金具７ヶ所
１５  角度合わせ板の取付穴
１６  読書台の補強板と角度合わせ板との止めボルト軸
１７  止め穴ネジ１６軸と１７ネジで台が固定される
１８  読書台腕の落下止め金具
１９  床面に着く脚立の足の部分５ヶ所
２０  補強板取付ボルト
２１  脚立縦軸１１Ａと１１Ｂを繋ぐ金具
２２  １１Ｂ軸と１９足との補強金具
２３  矢印は各部分の運動方向を示す６ヶ所
【手続補正３】
【補正対象書類名】図面
【補正対象項目名】全図
【補正方法】変更
【補正の内容】
【図１】
0003126360.tif 000010
【図２】
0003126360.tif 000011
【図３】
0003126360.tif 000012
【図４】
0003126360.tif 000013
【図５】
0003126360.tif 000014